(57)【要約】【課題】撮影したユーザ画像とテンプレート画像とを合成した合成画像がプリントされ、合成画像内のコード画像を携帯端末で撮影することでテンプレート画像に紐付けられた動画データが取得・再生できる印画物を作製する。【解決手段】本実施形態による印画物作製装置２は、サーバ装置１から受信した画像データを記憶する記憶部２０３と、被撮影者を撮影し、撮影画像を生成する撮影装置２１と、前記画像データ及び前記撮影画像を合成して合成画像を生成する画像合成部２１５と、前記合成画像を印画紙にプリントして出力するプリンタ２３と、を備える。サーバ装置１から受信した画像データは、テンプレート画像と、サーバ装置１において前記テンプレート画像に対応する動画データが保存される場所を示す保存場所情報をコード化したコード画像とを含む。【選択図】図１
2017120505.tif 000002
【特許請求の範囲】
【請求項１】
サーバ装置から受信した画像データを記憶する記憶部と、
被撮影者を撮影し、撮影画像を生成する撮影装置と、
前記画像データ及び前記撮影画像を合成して合成画像を生成する画像合成部と、
前記合成画像を印画紙にプリントして出力するプリンタと、
を備え、
前記サーバ装置から受信した画像データは、テンプレート画像と、前記サーバ装置において前記テンプレート画像に対応する動画データが保存される場所を示す保存場所情報をコード化したコード画像とを含むことを特徴とする印画物作製装置。
【請求項２】
前記サーバ装置に対し、前記画像データを印画紙にプリントした印画物の販売が可能か否か問い合わせる問合せ部をさらに備えることを特徴とする請求項１に記載の印画物作製装置。
【請求項３】
画像データ及び動画データを記憶する記憶部と、
前記画像データに、前記動画データの保存場所を示す保存場所情報をコード化したコード画像を合成する画像合成部と、
前記コード画像を合成した画像データを印画物作製装置へ送信する画像データ送信部と、
携帯端末へ前記動画データを送信する動画データ送信部と、
を備え、
前記携帯端末は、前記印画物作製装置が被撮影者を撮影し、撮影画像と前記コード画像を合成した画像データとを印画紙にプリントして作製した印画物上の前記コード画像を読み取り、前記保存場所情報を取得してアクセスしてきた携帯端末であることを特徴とするサーバ装置。
【請求項４】
前記記憶部は、前記画像データ及び前記動画データの組み合わせに対して、前記印画物作製装置における前記印画物の販売可能数及び／又は販売期間が設定された管理情報を記憶し、
前記印画物作製装置における前記印画物の累積販売枚数を管理し、前記印画物作製装置から前記印画物の販売可否の問合せがあると、前記販売可能数及び／又は販売期間と、前記累積販売枚数とに基づいて販売可否の回答を行うことを特徴とする請求項３に記載のサーバ装置。
【請求項５】
前記記憶部は、前記画像データ及び前記動画データの組み合わせを複数記憶し、
前記保存場所情報は、前記画像データ及び前記動画データの組み合わせ毎に異なる識別情報を含み、
前記動画データ送信部は、前記携帯端末がアクセスしてきた際の保存場所情報に含まれる識別情報に対応する動画データを送信することを特徴とする請求項３又は４に記載のサーバ装置。
【請求項６】
前記記憶部は、前記画像データ及び前記動画データの組み合わせに対して、携帯端末への動画配信期間が設定された管理情報を記憶することを特徴とする請求項３乃至５のいずれかに記載のサーバ装置。
【請求項７】
印画物作製装置と、画像データ及び動画データを記憶し、携帯端末へ前記動画データを送信するサーバ装置と、を備える動画データ配信システムであって、
前記印画物作製装置は、前記動画データの保存場所を示す保存場所情報をコード化したコード画像を含む前記画像データを前記サーバ装置から受信し、受信した画像データに、被撮影者を撮影した撮影画像を合成して合成画像を生成し、前記合成画像を印画紙にプリントして印画物を出力し、
前記サーバ装置は、前記印画物から前記コード画像を読み取って取得した前記保存場所情報を用いてアクセスしてきた前記携帯端末へ、前記動画データを送信することを特徴とする動画データ配信システム。
【発明の詳細な説明】
【技術分野】
【０００１】
本発明は、携帯端末において動画を再生するための印画物を作製する印画物作製装置に関する。また、本発明は、携帯端末へ動画データを配信するサーバ装置、及び動画データ配信システムに関する。
【背景技術】
【０００２】
免許証、パスポート、履歴書等に貼付するための証明写真等を撮影するボックス型の印画物作製装置が知られている（例えば特許文献１参照）。印画物作製装置は、人物を撮影し、用途に応じた様々なサイズの写真をプリントして出力する。このような印画物作製装置においては、利用者のニーズが多様化しており、常に新たなサービスが求められている。
【０００３】
従来、二次元コードを利用した携帯端末への情報配信が行われている。例えば、特許文献２に記載の情報配信システムでは、ポスター等の表示物又は展示商品等の物品に、情報配信用メールアドレスを含む情報を二次元コードにして付与しておくと共に、情報提供者から提供された情報を情報配信装置に登録する。ユーザは、携帯端末を用いて二次元コードを撮像し、情報配信用メールアドレスを取得して、このメールアドレスにメールを送信する。ユーザの携帯端末からメールが送信されると、情報配信装置内に登録されている情報が、ユーザの携帯端末に返信される。
【先行技術文献】
【特許文献】
【０００４】
【特許文献１】特開２００６−３１１２７６号公報
【特許文献２】特開２００４−７８３６８号公報
【発明の概要】
【発明が解決しようとする課題】
【０００５】
本発明は、上記従来の実状に鑑みてなされたものであり、撮影したユーザ画像とテンプレート画像とを合成した合成画像がプリントされ、合成画像内のコード画像を携帯端末で撮影することでテンプレート画像に紐付けられた動画データが取得・再生できる印画物を作製する印画物作製装置、携帯端末へ動画データを配信するサーバ装置、及び動画データ配信システムを提供することを課題とする。
【課題を解決するための手段】
【０００６】
本発明の一態様による印画物作製装置は、サーバ装置から受信した画像データを記憶する記憶部と、被撮影者を撮影し、撮影画像を生成する撮影装置と、前記画像データ及び前記撮影画像を合成して合成画像を生成する画像合成部と、前記合成画像を印画紙にプリントして出力するプリンタと、を備え、前記サーバ装置から受信した画像データは、テンプレート画像と、前記サーバ装置において前記テンプレート画像に対応する動画データが保存される場所を示す保存場所情報をコード化したコード画像とを含むことを特徴とするものである。
【０００７】
本発明の一態様による印画物作製装置は、前記サーバ装置に対し、前記画像データを印画紙にプリントした印画物の販売が可能か否か問い合わせる問合せ部をさらに備えることを特徴とする。
【０００８】
本発明の一態様によるサーバ装置は、画像データ及び動画データを記憶する記憶部と、前記画像データに、前記動画データの保存場所を示す保存場所情報をコード化したコード画像を合成する画像合成部と、前記コード画像を合成した画像データを印画物作製装置へ送信する画像データ送信部と、携帯端末へ前記動画データを送信する動画データ送信部と、を備え、前記携帯端末は、前記印画物作製装置が被撮影者を撮影し、撮影画像と前記コード画像を合成した画像データとを印画紙にプリントして作製した印画物上の前記コード画像を読み取り、前記保存場所情報を取得してアクセスしてきた携帯端末であることを特徴とするものである。
【０００９】
本発明の一態様によるサーバ装置において、前記記憶部は、前記画像データ及び前記動画データの組み合わせに対して、前記印画物作製装置における前記印画物の販売可能数及び／又は販売期間が設定された管理情報を記憶し、前記印画物作製装置における前記印画物の累積販売枚数を管理し、前記印画物作製装置から前記印画物の販売可否の問合せがあると、前記販売可能数及び／又は販売期間と、前記累積販売枚数とに基づいて販売可否の回答を行うことを特徴とする。
【００１０】
本発明の一態様によるサーバ装置において、前記記憶部は、前記画像データ及び前記動画データの組み合わせを複数記憶し、前記保存場所情報は、前記画像データ及び前記動画データの組み合わせ毎に異なる識別情報を含み、前記動画データ送信部は、前記携帯端末がアクセスしてきた際の保存場所情報に含まれる識別情報に対応する動画データを送信することを特徴とする。
【００１１】
本発明の一態様によるサーバ装置において、前記記憶部は、前記画像データ及び前記動画データの組み合わせに対して、携帯端末への動画配信期間が設定された管理情報を記憶することを特徴とする。
【００１２】
本発明の一態様による動画データ配信システムは、印画物作製装置と、画像データ及び動画データを記憶し、携帯端末へ前記動画データを送信するサーバ装置と、を備える動画データ配信システムであって、前記印画物作製装置は、前記動画データの保存場所を示す保存場所情報をコード化したコード画像を含む前記画像データを前記サーバ装置から受信し、受信した画像データに、被撮影者を撮影した撮影画像を合成して合成画像を生成し、前記合成画像を印画紙にプリントして印画物を出力し、前記サーバ装置は、前記印画物から前記コード画像を読み取って取得した前記保存場所情報を用いてアクセスしてきた前記携帯端末へ、前記動画データを送信することを特徴とするものである。
【発明の効果】
【００１３】
本発明によれば、撮影したユーザ画像とテンプレート画像とを合成した合成画像がプリントされ、合成画像内のコード画像を携帯端末で撮影することでテンプレート画像に紐付けられた動画データが取得・再生される印画物を作製することができる。また、本発明によれば、印画物のコード画像を読み取ってアクセスしてきた携帯端末へ、印画物にプリントされた画像に対応する動画データを配信できる。
【図面の簡単な説明】
【００１４】
【図１】本発明の実施形態に係る動画データ配信システムの概略構成図である。
【図２】（ａ）はテンプレート画像の一例を示す図であり、（ｂ）は二次元コードが合成されたテンプレート画像の一例を示す図であり、（ｃ）は印画物作製装置から出力されるプリント物の一例を示す図である。
【図３】サーバ装置の構成図である。
【図４】管理情報の一例を示す図である。
【図５】印画物作製装置の構成図である。
【図６】印画物作製装置の演算制御装置のハードウェア構成図である。
【図７】画像販売プログラムを実行することで実現される機能ブロック図である。
【図８】携帯端末の構成図である。
【図９】動画再生アプリを実行することで実現される機能ブロック図である。
【図１０】本実施形態に係る動画データ配信方法を説明するシーケンス図である。
【図１１】管理情報の一例を示す図である。
【発明を実施するための形態】
【００１５】
以下、本発明の実施の形態を図面に基づいて説明する。
【００１６】
図１は、本発明の実施形態に係る動画データ配信システムの概略構成図である。図１に示すように、動画データ配信システムは、サーバ装置１、印画物作製装置２、及び携帯端末４を備える。サーバ装置１と印画物作製装置２とは通信可能に接続されている。
【００１７】
サーバ装置１は、テンプレート画像データと、このテンプレート画像データに対応する動画データとを保存している。サーバ装置１は、動画データにアクセスするための保存場所情報（例えばＵＲＬ）をコード化して二次元コードを生成し、テンプレート画像に合成する。サーバ装置１は、二次元コード画像が合成されたテンプレート画像データを印画物作製装置２へ送信する。
【００１８】
テンプレート画像データは、例えば、図２（ａ）に示すように、スポーツ選手や有名人等の人物の画像３０と、印画物作製装置２が撮影したユーザ画像が挿入されるユーザ画像挿入領域３１とを含むフレーム画像のデータである。印画物作成装置２へは、図２（ｂ）に示すように、二次元コード画像３３が合成されたテンプレート画像データが送信される。
【００１９】
動画データは、例えば、画像３０の人物が動いたり音声を出したりしている動画のデータである。画像３０は人物に限定されず、動物やキャラクターなどでもよい。以下、画像３０を人物画像として説明を行う。
【００２０】
印画物作製装置２は、ボックス型の写真撮影装置であり、ユーザから料金が支払われると、ユーザを撮影し、ユーザ画像を生成する。印画物作製装置２は、テンプレート画像データのユーザ画像挿入領域３１にユーザ画像を挿入した合成画像を生成し、この合成画像を印画紙にプリントしてプリント物（印画物）３を出力する。これにより、図２（ｃ）に示すように、人物画像３０、ユーザ画像３２、及び二次元コード３３がプリントされたプリント物（印画物）３が作製される。
【００２１】
ユーザは、スマートフォンやタブレット機器等の携帯端末４を有しており、この携帯端末４には動画データを再生するためのプログラム（動画再生アプリ）が記憶されている。携帯端末４がこのプログラムを実行すると、二次元コードを読み取るために携帯端末４のカメラ機能が起動する。ユーザが携帯端末４のカメラでプリント物３上の二次元コード３３を撮影すると、携帯端末４は二次元コード３３を読み取って保存場所情報を取得し、サーバ装置１にアクセスする。
【００２２】
サーバ装置１は、携帯端末４からのアクセスに伴い、人物画像３０に対応する動画データを携帯端末４へ送信する。携帯端末４は、サーバ装置１から取得した動画データをディスプレイ上で再生する。
【００２３】
このように、動画データ配信システムでは、印画物作製装置２が、ユーザを撮影し、ユーザ画像３２、人物画像３０、及び二次元コード３３をプリントしたプリント物３を販売する。ユーザは、自身の画像と、有名人等の画像とが合成された写真（プリント物３）を購入できる。さらに、ユーザは、購入したプリント物３の二次元コード３３を携帯端末４で読み取り、サーバ装置１にアクセスして動画データを受信・再生し、人物画像３０に対応する動画を視聴することができる。
【００２４】
図３はサーバ装置１の構成図である。サーバ装置１は、画像データ送信部１０、コード化処理部１１、画像合成部１２、端末情報取得部１３、動画データ送信部１４、動画配信管理部１５、及び記憶部１６を備え、例えばコンピュータにより構成される。
【００２５】
記憶部１６は、テンプレート画像データ、動画データ、及び管理情報を保存する。記憶部１６は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００２６】
テンプレート画像データ及び動画データは、例えばライセンサから提供されたものである。
【００２７】
図４に管理情報の一例を示す。管理情報は、複数のボックスに区分けされており、各ボックスには、販売可能数、販売期間、動画配信期間、画像情報、及び動画情報が含まれる。管理情報は、画像販売及び動画配信の管理単位でボックス分けされている。
【００２８】
画像情報は、テンプレート画像データを特定する情報である。動画情報は、動画データを特定する情報である。管理情報の各ボックスの画像情報及び動画情報により、テンプレート画像データと動画データとが紐付けられる。例えば、ボックス００１では、テンプレート画像データＰ１に動画データＭ１が紐付けられており、ボックス００２では、テンプレート画像データＰ２に動画データＭ２が紐付けられている。
【００２９】
販売可能数は、当該ボックスの画像情報が示すテンプレート画像データを使用したプリント物３の販売可能枚数（上限枚数）である。販売期間は、当該ボックスの画像情報が示すテンプレート画像データを使用したプリント物３を印画物作製装置２において販売する期間である。
【００３０】
管理情報のボックス毎に、印画物作製装置２における累積販売枚数の情報を持たせ、更新するようにしてもよい。例えば、サーバ装置１は、印画物作製装置２から画像販売の可否の問合せを受け付けると、管理情報内の販売可能数、累積販売枚数、販売期間等の情報を確認し、販売可否を回答する。販売可と回答した場合、累積販売枚数を更新する。
【００３１】
動画配信期間は、当該ボックスの動画情報が示す動画データを、サーバ装置１にアクセスしてきた携帯端末４で再生できるように配信（送信）する期間である。
【００３２】
サーバ装置１は、テンプレート画像データ及び動画データの組み合わせが登録されると、この組み合わせに対して識別ＩＤを割り当てる。識別ＩＤは、例えば管理情報のボックス番号を用いることができる。
【００３３】
コード化処理部１１は、この識別ＩＤを含み、動画再生に際しサーバ装置１にアクセスするために必要な保存場所情報をコード化して、二次元コード画像を生成する。画像合成部１２は、テンプレート画像に、二次元コード画像を合成する。テンプレート画像内の二次元コード画像合成箇所は、画像提供者等が任意に設定できる。
【００３４】
例えば、コード化処理部１１は、管理情報のボックス番号００１を含む保存場所情報をコード化して、二次元コード画像を生成する。画像合成部１２は、テンプレート画像Ｐ１に、この二次元コード画像を合成する。
【００３５】
画像データ送信部１０は、二次元コード画像が合成されたテンプレート画像データを印画物作製装置２へ送信する。
【００３６】
端末情報取得部１３は、アクセスしてきた携帯端末４の端末情報、例えば個体識別情報、設定言語、メーカ、モデル名、ＩＰアドレスゾーン、ネットワークセグメント、ＧＰＳ位置情報、インストールされているアプリのアプリＩＤ等を取得する。
【００３７】
動画データ送信部１４は、携帯端末４へ動画データを送信する。
【００３８】
動画配信管理部１５は、携帯端末４がサーバ装置１にアクセスしてきた際に用いていた保存場所情報に含まれる識別ＩＤから、配信する動画データを決定する。例えば、携帯端末４がサーバ装置１にアクセスしてきた際の保存場所情報に含まれる識別ＩＤがボックス００２を示すものである場合、動画配信管理部１５は、動画データＭ２を配信すると決定する。
【００３９】
図５は、印画物作製装置２の概略構成を示す。印画物作製装置２は、ユーザ（被撮影者）Ｐを撮影し、撮影画像データを生成する撮影装置２１と、この撮影画像データに対して画像処理を施す演算制御装置２０と、印画物（写真）をプリントするプリンタ２３と、撮影装置２１がユーザＰを撮影する際にユーザＰに光を照射するストロボ２４と、サーバ装置１との通信を行う通信部２５とを備える。
【００４０】
また、印画物作製装置２は、ユーザＰから各種指示を受け付けると共に、撮影した画像のプレビュー表示を行うタッチパネル２２を備えている。さらに、印画物作製装置２には、ユーザＰが印画物の代金として支払う貨幣を受け入れたり、釣銭を払い出したりする課金部（図示せず）が設けられている。印画物作製装置２におけるユーザＰの背中側の壁紙は、クロマキー合成に適した色、例えば青色や黄緑色になっている。
【００４１】
撮影装置２１は、例えばデジタルカメラであり、レンズ、シャッタ、ＣＭＯＳセンサ、Ａ／Ｄ変換器等を有する。撮影装置２１がユーザＰを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置２１は、撮影画像データを演算制御装置２０へ出力する。
【００４２】
通信部２５は、サーバ装置１と通信を行い、サーバ装置１から、二次元コード画像が合成されたテンプレート画像データを受信する。
【００４３】
演算制御装置２０は、撮影装置２１、タッチパネル２２、プリンタ２３、ストロボ２４、通信部２５、及び課金部に接続されており、各部の制御やデータの受け渡しを行う。
【００４４】
図６に、演算制御装置２０のハードウェア構成を示す。演算制御装置２０は、ＣＰＵ（中央演算処理部）２０１、メインメモリ２０２、ディスク装置２０３、及び入出力部２０４を有する。演算制御装置２０の各部はバスを介して接続されている。
【００４５】
ディスク装置２０３は、制御プログラム、画像販売プログラム、及びサーバ装置１から受信したテンプレート画像データを記憶する。
【００４６】
ＣＰＵ２０１が制御プログラムを実行することで、印画物作製装置２の各部を制御する制御部として機能する。
【００４７】
ＣＰＵ２０１が画像販売プログラムを実行することで、図７に示すように、画像データ受信部２１０、サンプル画像表示部２１１、問合せ部２１２、撮影処理部２１３、切抜部２１４、画像合成部２１５、及びプリント処理部２１６が実現され、ユーザの撮影及びプリント物３の販売が行えるようになる。
【００４８】
画像データ受信部２１０は、サーバ装置１から画像データを受信し、ディスク装置２０３に格納する。
【００４９】
サンプル画像表示部２１１は、サーバ装置１から受信したテンプレート画像データを用いて、タッチパネル２２にプリント物３のサンプル画像を表示する。ユーザがサンプル画像をみて購入する画像を選択すると、問合せ部２１２は、選択された画像が販売可能か否か、すなわち累積販売数が販売可能数に達していないか、販売期間内か等をサーバ装置１に問い合わせる。販売可能であった場合、ユーザが料金を支払うと、撮影処理部２１３が撮影装置２１を用いてユーザＰの撮影処理を行う。
【００５０】
切抜部２１４は、撮影装置２１による撮影画像内の人物（ユーザ）と背景色（壁紙色）との色差を判別し、撮影画像からユーザ画像を切り抜く。ここで判別される色差とは、色相差、彩度差、又は色相差及び彩度差の組み合わせである。
【００５１】
画像合成部２１５は、購入されたテンプレート画像と、切抜部２１４により撮影画像から切り抜かれたユーザ画像とを合成して合成画像を作成する。例えば、画像合成部２１５は、図２（ｂ）（ｃ）に示すように、購入画像のテンプレート画像データのユーザ画像挿入領域３１にユーザ画像３２を挿入し、合成画像を作成する。
【００５２】
プリント処理部２１６は、作成された合成画像を、入出力部２０４を介してプリンタ２３へ転送し、印画紙にプリントするように制御する。これにより、プリンタ２３からプリント物３が出力される。
【００５３】
タッチパネル２２は、操作ボタンを表示し、操作ボタンが押されると、その操作ボタンに対応した操作指示を受け付ける。また、印画物作製装置２はライブビュー機能を有し、テンプレート画像とユーザ画像とを合成した画像をタッチパネル２２の画面で確認できるようになっている。
【００５４】
タッチパネル２２上の撮影指示ボタンが押されると、ボタンタッチ後、所定のタイミングでプリント用画像生成のための撮影処理が行われ、合成画像が静止画表示される。ユーザＰは、表示された合成画像を確認し、承認ボタンを押すと、演算制御装置２０は、この合成画像（プリント用画像）のデータをプリンタ２３へ転送する。
【００５５】
プリンタ２３は、演算制御装置２０から受け取った合成画像を印画紙にプリントしてプリント物３を出力する。プリンタ２３のプリント方式は特に限定されず、インクジェット方式、昇華型熱転写方式、溶融型熱転写方式等を用いることができる。
【００５６】
図８は、携帯端末４のブロック構成図である。携帯端末４は、ＣＰＵ４０、メモリ４１、カメラ４２、通信部４３、ディスプレイ（タッチパネル）４４、及びＧＰＳ４５を備える。
【００５７】
メモリ４１は、動画再生アプリ（アプリケーションプログラム）を記憶する。メモリ４１は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００５８】
ＣＰＵ４０が動画再生アプリを実行することで、図９に示すように、コード読取部４０１、通信処理部４０２、及び動画再生部４０３が実現され、動画の再生が行えるようになる。
【００５９】
コード読取部４０１は、カメラ４２を用いてプリント物３にプリントされた二次元コード３３から保存場所情報を読み取る。通信処理部４０２は、読み取った保存場所情報を用いて、通信部４３を介してサーバ装置１にアクセスし、プリント物３にプリントされているテンプレート画像に対応する動画データを受信する。
【００６０】
動画再生部４０３は、サーバ装置１から受信した動画データをディスプレイ４４にて再生する。
【００６１】
ＧＰＳ４５は、携帯端末４の位置情報を取得する。
【００６２】
図１０は、本実施形態によるプリント物の販売及び動画再生の処理の流れを示す図である。
【００６３】
ライセンサから提供されたテンプレート画像データ及び動画データがサーバ装置１の記憶部１６に登録される（ステップＳ１０１）。データの登録に伴い、サーバ装置１は、テンプレート画像データと動画データとの紐付けや、販売可能数等の各種情報を記憶部１６内の管理情報に登録する。
【００６４】
管理情報の登録後、サーバ装置１は、テンプレート画像データ及び動画データの組み合わせに対して識別ＩＤを割り当てる。識別ＩＤは、例えば、管理情報のボックス番号などである。サーバ装置１のコード化処理部１１が、この識別ＩＤを含む保存場所情報を示す二次元コード画像を生成する。そして、画像合成部１２が、テンプレート画像に二次元コード画像を合成する（ステップＳ１０２）。
【００６５】
サーバ装置１の画像データ送信部１０が、二次元コード画像が合成されたテンプレート画像データを印画物作製装置２へ送信する（ステップＳ１０３）。サーバ装置１から印画物作製装置２への画像データの送信タイミングは任意である。
【００６６】
送信された画像データは印画物作製装置２のディスク装置２０３に記憶される。これにより、印画物作製装置２で合成画像の販売が開始される。サンプル画像表示部２１１は、画像データを用いて、タッチパネル２２にプリント物３のサンプル画像を表示する。
【００６７】
ユーザが、印画物作製装置２を操作して購入画像を選択すると（ステップＳ１０４）、印画物作製装置２の問合せ部２１２が、選択された画像が販売可能か否かをサーバ装置１に問い合わせる（ステップＳ１０５）。サーバ装置１から販売可能と回答があると（ステップＳ１０６）、印画物作製装置２は課金処理を行い、ユーザから料金が支払われる（ステップＳ１０７）。
【００６８】
続いて、印画物作製装置２はユーザを撮影する（ステップＳ１０８）。印画物作製装置２のライブビュー機能により、テンプレート画像とユーザ画像とを合成した画像がタッチパネル２２に表示される。ユーザは、タッチパネル２２の画面で写り具合を確認し、体の位置や角度を調整して、撮影指示を行う。
【００６９】
ユーザの撮影後、切抜部２１４が撮影画像からユーザ画像を切り抜く。そして、画像合成部２１５が、購入されたテンプレート画像データのユーザ画像挿入領域に切り抜いたユーザ画像を挿入して、合成画像を作成する（ステップＳ１０９）。
【００７０】
プリンタ２３が、この合成画像を印画紙にプリントして出力する（ステップＳ１１０）。これにより、ユーザは、人物画像３０、ユーザ画像３２、及び二次元コード３３がプリントされたプリント物３（図２（ｃ）参照）を入手することができる（ステップＳ１１１）。
【００７１】
ユーザが、携帯端末４の動画再生アプリを実行すると、カメラ４２が起動し、ディスプレイ４４上に二次元コードの読み取り指示が表示される（ステップＳ１１２）。カメラ４２でプリント物３の二次元コード３３を撮影することで、携帯端末４は保存場所情報を取得する（ステップＳ１１３）。
【００７２】
携帯端末４の通信処理部４０２は、保存場所情報に基づき、通信部４３を介してサーバ装置１にアクセスし、動画データを要求する（ステップＳ１１４）。サーバ装置１は、管理情報を参照し、携帯端末４からアクセスされた際の保存場所情報に含まれる識別ＩＤに対応する動画データを選択し、携帯端末４へ送信する（ステップＳ１１５、Ｓ１１６）。管理情報に動画再生期間が設定されている場合、サーバ装置１の動画配信管理部１５は、携帯端末４からのアクセス時が動画再生期間内であるか否かを判定する。
【００７３】
携帯端末４が動画データを受信すると、動画再生部４０３が動画データを再生する（ステップＳ１１７）。これにより、ディスプレイ４４では、プリント物３のテンプレート画像に対応した動画が再生される。
【００７４】
このように、本実施形態によれば、印画物作製装置２がユーザを撮影し、ライセンサが提供したテンプレート画像に、撮影したユーザ画像を合成したプリント物３を作製する。また、プリント物３にプリントされた二次元コードを携帯端末４で読み取り、サーバ装置１にアクセスし、ライセンサから提供された動画データを受信・再生して、テンプレート画像に対応する動画を楽しむことができる。
【００７５】
また、サーバ装置１において販売可能数や販売期間を設定することで、プリント物３の発行枚数や発行期間が制限され、プリント物３の価値を向上させることができる。
【００７６】
１つのテンプレート画像データに複数の動画データを紐付け、ユーザ（携帯端末４）の位置や、動画再生時刻により、異なる動画が再生されるようにしてもよい。この場合、図１１に示すように、管理情報には、位置や時刻等の条件に応じた複数の動画が定義される。ユーザの位置は、携帯端末４のＧＰＳ４５により取得される。
【００７７】
例えば、条件１に時刻５：００〜１０：００、条件２に時刻１０：００〜１８：００、条件３に時刻１８：００〜５：００が設定されている場合、朝、昼、夜で再生される動画を変えることができる。
【００７８】
条件に“位置”を設定した場合、特定の場所で特定の動画が再生される。例えば、イベント会場において動画再生を行うことで、イベントに関連した特別な動画を視聴可能にできる。
【００７９】
管理情報の条件には、位置や時刻だけでなく、サーバ装置１の端末情報取得部１３が携帯端末４から取得可能な様々な情報を設定することができる。例えば、携帯端末４の機種によって再生される動画を変えることができる。
【００８０】
サーバ装置１のコード化処理部１１は、時間等のパラメータを含めて二次元コードを作成することで、二次元コードのユニーク性（セキュリティ性）を高めるようにしてもよい。
【００８１】
上記実施形態では、販売可能数や販売期間を管理情報に設定していたが、これらの設定を省略してもよい。この場合、印画物作製装置２からサーバ装置１への問合せ処理（図１０のステップＳ１０５、Ｓ１０６）は省略される。
【００８２】
上記実施形態では、印画物作製装置２にてテンプレート画像データを保存していたが、サンプル画像のデータのみ保存しておき、撮影したユーザ画像と合成するテンプレート画像データは、ユーザの撮影を行う度にサーバ装置１からダウンロードするようにしてもよい。
【００８３】
上記実施形態において、二次元コードが合成されたテンプレート画像の画像データを格納した記憶媒体を印画物作製装置２に接続するなどして、印画物作製装置２のディスク装置２０３に画像データを書き込んでもよい。この場合、印画物作製装置２から、サーバ装置１との通信機能を省略できる。
【００８４】
サーバ装置１の動画配信管理部１５は、各動画データの再生回数や、再生端末数をカウントしてもよい。動画データの再生回数は延べ数であり、例えば１台の携帯端末４で動画データを３回再生した場合、再生回数は３回とカウントされる。再生端末数は、動画データの再生を行った携帯端末の数（実数）であり、例えば１台の携帯端末４で動画データを複数回再生しても、再生端末数は１台となる。
【００８５】
再生回数は、携帯端末４からのアクセス数から求めることができる。再生端末数は、携帯端末４から取得した個体識別情報等の端末情報から求めることができる。再生回数、再生端末数、携帯端末４の位置情報等を利用して、テンプレート画像データ及び動画データを提供したライセンサに対するライセンス費を自動的に計算するようにしてもよい。
【００８６】
動画データ配信システムは複数の印画物作製装置２を備えていてもよい。サーバ装置１は、印画物作製装置２毎に、画像の販売枚数や販売期間を設定してもよい。
【００８７】
印画物作製装置２がタッチパネル２２にサンプル画像を表示する際、サンプル画像内の二次元コードを、ダミー情報に基づく二次元コードとすることが好ましい。これにより、タッチパネル２２に表示されたサンプル画像の二次元コードを携帯端末で撮影して動画を再生するような行為を防止できる。
【００８８】
上記実施形態において、印画物作製装置２が、ユーザの撮影を行わずに、二次元コードが合成されたテンプレート画像のみをプリントしたプリント物を出力する機能を備えていてもよい。これにより、ユーザは、動画付きのブロマイド写真を購入することができる。
【００８９】
動画再生期間が終了した後でも、追加課金により動画再生期間を延長できるようにしてもよい。例えば、動画再生期間が終了した後に携帯端末４からアクセスがあると、サーバ装置１は動画再生期間を延長するか否かを確認する。ユーザが携帯端末４を操作して再生期間延長を選択すると、課金画面を表示し、クレジットカード決済等を行う。課金処理後、サーバ装置１は、管理情報に、ユーザを識別する情報（例えば携帯端末４にインストールされている動画再生アプリのアプリＩＤ）と、延長した再生期間とを追加登録する。これにより、追加課金を行ったユーザに対しては、動画再生期間を延長することができる。
【００９０】
二次元コードでなく、電子透かし技術を用いて保存場所情報を示すデジタルコードをテンプレート画像データに埋め込んでもよい。
【００９１】
動画再生アプリがフレーム画像を有し、サーバ装置１から受信した動画データをディスプレイ４４にて再生する際に、動画の上にフレーム画像を表示できるようにしてもよい。フレーム画像を複数準備しておき、動画再生中に、ユーザがフレーム画像を選択できるようにしてもよい。また、動画データ毎にフレーム画像が予め紐付けられていてもよい。動画データを再生する際に選択したフレーム画像を重ねて表示することで、動画データは１種類であっても、複数種のコンテンツのように楽しむことができる。
【００９２】
上述した実施形態で説明した動画データ配信システムの少なくとも一部は、ハードウェアで構成してもよいし、ソフトウェアで構成してもよい。ソフトウェアで構成する場合には、動画データ配信システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００９３】
また、動画データ配信システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００９４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００９５】
１  サーバ装置
２  印画物作製装置
３  プリント物
４  携帯端末
【図１】
2017120505.tif 000003
【図２】
2017120505.tif 000004
【図３】
2017120505.tif 000005
【図４】
2017120505.tif 000006
【図５】
2017120505.tif 000007
【図６】
2017120505.tif 000008
【図７】
2017120505.tif 000009
【図８】
2017120505.tif 000010
【図９】
2017120505.tif 000011
【図１０】
2017120505.tif 000012
【図１１】
2017120505.tif 000013